(57)【要約】【課題】記録媒体に記録された番組の内容を確実に確認できるようにする。【解決手段】映像／音声記録手段１３に記録される番組の映像信号を、画像キャプチャ／圧縮手段２０で所定タイミングで区切って抽出し、抽出した画像情報を複数の画像情報が１画面で表示可能なように圧縮して小画面情報記憶手段２１に時系列に順次記憶すると共に、抽出した各画像情報に続いて送られる画像情報を、同じように複数の画像情報を１画面で表示するように圧縮して小画面情報記憶手段２１に記憶し、小画面情報記憶手段２１に記憶された小画面情報を読み出して複数の画面情報を１画面に表示させ、さらに画像情報の表示を更新するように構成することで、記録された番組の内容を短時間で確実に確認できるようにしたものである。【選択図】　　　図２
2004096587.tif 000002
【特許請求の範囲】
【請求項１】
表示画面に対応した記憶領域が複数設けられ、各々の記憶領域が複数の記憶エリアに分割された記憶手段と、
入力される放送番組の映像信号を、複数の映像が前記同一表示画面で表示されるように処理して前記記憶手段の複数の記憶領域のそれぞれ同一記憶エリアに所定信号量分順次記憶すると共に、前記記憶された映像信号の後に送られる映像信号を、複数の映像が前記同一表示画面で表示されるように処理して、前記記憶手段の複数の記憶領域の前記映像信号が記憶されている記憶エリアとは異なる同一記憶エリアに、所定フィールド分順次記憶する記憶制御手段と、
前記記憶手段に記憶された映像信号を読み出して各記憶領域毎に表示させる表示手段と、
を具備したことを特徴とする放送番組記録再生装置。
【請求項２】
前記所定信号量は、所定フィールド分であることを特徴とする請求項１に記載の放送番組記録再生装置。
【請求項３】
前記所定信号量は、所定時間における信号量で特定されるものであることを特徴とする請求項１に記載の放送番組記録再生装置。
【請求項４】
前記所定信号量は、記憶領域の記憶容量で特定されるものであることを特徴とする請求項１に記載の放送番組記録再生装置。
【請求項５】
前記複数の映像は、前記放送番組を所定時間間隔で区切った個数であり、前記所定信号量は、前記所定時間間隔の信号量に対応するものであることを特徴とする請求項１に記載の放送番組記録再生装置。
【請求項６】
表示画面に対応した記憶領域が複数設けられ、各々の記憶領域が複数の記憶エリアに分割された記憶手段と、
入力される放送番号の放送開始から終了までの時間をｎに分割し、当該放送番組の映像信号を、ｎ個の映像が前記同一表示画面で表示されるように圧縮し、圧縮した映像信号を前記分割した時間毎に前記異なる記憶領域のそれぞれ同一記憶エリアに時系列で記憶させる記憶制御手段と、
前記記憶手段に記憶された映像信号を読み出して各記憶領域毎に表示させる表示手段と、
を具備したことを特徴とする放送番組記録再生装置。
【請求項７】
さらに前記放送番組を連続的に記録する記録手段を備えたことを特徴とする請求項１乃至６のいずれかに記載の放送番組記録再生紙装置。
【請求項８】
入力される放送番組の映像信号を、複数の映像が前記同一表示画面で表示されるように処理して記憶媒体の複数の記憶領域のそれぞれ同一記憶エリアに所定信号量分順次記憶すると共に、前記記憶された映像信号の後に送られる映像信号を、複数の映像が前記同一表示画面で表示されるように処理して、前記記憶媒体の複数の記憶領域の前記映像信号が記憶されているエリアとは異なる同一エリアに、所定フィールド分順次記憶するステップと、
前記記憶媒体に記憶された映像信号を読み出して各記憶領域毎に表示させるステップと、
を具備したことを特徴とする放送番組記録再生方法。
【請求項９】
入力される放送番号の放送開始から終了までの時間をｎに分割し、当該放送番組の映像信号を、ｎ個の映像が同一表示画面で表示されるように圧縮し、圧縮した映像信号を前記分割した時間毎に記憶媒体の複数の記憶領域のそれぞれ同一記憶エリアに時系列で記憶させるステップと、
前記記憶媒体に記憶された映像信号を読み出して各記憶領域毎に表示させるステップと、
を具備したことを特徴とする放送番組記録再生方法。
【請求項１０】
さらに前記放送番組を連続的に記録するステップを備えたことを特徴とする請求項９及び１０のいずれかに記載の放送番組の記録再生方法。
【発明の詳細な説明】
【０００１】
【発明の属する技術分野】
本発明は、放送番組の記録再生装置に関し、特に記録された番組内容を簡単にかつ確実に確認できるようにした放送番組の記録再生装置及び記録再生方法に関する。
【０００２】
【従来の技術】
従来、放送番組を記録する装置としては、ＶＴＲ（Ｖｉｄｅｏ　Ｔａｐｅ　Ｒｅｃｏｒｄｅｒ）が一般に使用されているが、昨今では、ＨＤＤ（Ｈａｒｄ　Ｄｉｓｋ　Ｄｒｉｖｅ）が、アクセス速度が高速度化され、記録容量も大容量化されたことにより、ＨＤＤを記録媒体とした放送番組の記録再生装置が商品化されつつある。
【０００３】
ＨＤＤを記録媒体として適用した装置においては、長時間の放送番組の記録が可能であり、ＶＴＲのように、録画予約によって録画する番組を選択するような使い方ではなく、所定の期間受信しているチャンネルの放送番組をそのまま垂れ流し的に録画しておいて、後で、視聴したい番組のみを選択して視聴するというような使われ方がされることが予測される。
【０００４】
視聴者は、ＨＤＤに記録された膨大な番組を早送り再生等の機能を使って画面表示してその内容を確認し、真に視聴したい番組を選択する作業を行なう必要があり記録容量が多くなればなるほどその作業に要する時間が増えて取り扱いが不便になるという問題を有している。
【０００５】
記録媒体に記録された番組内容を短時間で確認したいという要求は、従来から根強く、種々の提案がなされている。例えば特開２００２−２７４１０号には、記録しようとする映像信号から代表画面を抽出して記録媒体に記録すると共に、抽出した画面に対して評価値を付与し、その評価値に基づいて記録媒体に記録した代表画面の数を間引くようにした提案が示されている。
【０００６】
この文献に記載された技術は、再生の際に代表画面を間引くという処理が必要で、そのために装置の構成が複雑になり、迅速な動作が期待できない。記録された番組の内容を確認するための装置としては、必ずしも最適な装置であるとは言えない。
【０００７】
【発明が解決しようとする課題】
以上のように、従来、放送番組を記録し再生する装置において、再生の前に、記録した番組の内容を確認したい要求があるが、コストパフォーマンスの点で、満足のできる装置がなく、より簡単で確実に記録内容を確認できる装置の実現が待望されている。
【０００８】
本発明は、以上の点に対処してなされたものであり、簡単な構成により、記録内容を確認することができる記録再生装置及び記録再生方法を提供することを目的とする。
【０００９】
【課題を解決するための手段】
本発明の放送番組記録再生装置は、表示画面に対応した情報の記憶位置を有する記憶領域が複数設けられた記憶手段と、入力される放送番組の映像信号を、複数の映像が前記同一表示画面で表示されるように圧縮して前記記憶手段の複数の記憶領域のそれぞれ同一記憶位置に所定信号量分順次記憶すると共に、前記記憶された映像信号の後に送られる映像信号を、複数の映像が前記同一表示画面で表示されるように圧縮して、前記記憶手段の複数の記憶領域の前記圧縮された映像信号が記憶されている位置とは異なる同一位置に、所定フィールド分順次記憶する記憶制御手段と、前記記憶手段に記憶された映像信号を読み出して各記憶領域毎に表示させる表示手段と、を具備したことを特徴とする。
【００１０】
本発明によれば、番組を構成する複数の映像が時系列で同一画面で表示され、さらに各表示された複数の映像に続く映像を同一画面で表示することができるため番組内容を短時間でかつ確実に確認することができるものである。
本発明の放送番組記録再生装置は、表示画面に対応した情報の記憶位置を有する記憶領域が複数設けられた記憶手段と、入力される放送番号の放送開始から終了までの時間をｎに分割し、当該放送番組の映像信号を、ｎ個の映像が前記同一表示画面で表示されるように圧縮し、圧縮した映像信号を前記分割した時間毎に前記異なる記憶領域のそれぞれ同一記憶位置に時系列で記憶させる記憶制御手段と、前記記憶手段に記憶された映像信号を読み出して各記憶領域毎に表示させる表示手段と、を具備したことを特徴とする。
【００１１】
本発明によれば、番組の所定時間間隔の複数の映像が時系列で同一画面で表示され、さらに各表示された複数の映像に続く映像を同一画面で表示することができるため番組内容を短時間でかつ確実に確認することができるものである。
本発明の放送番組記録再生方法は、入力される放送番組の映像信号を、複数の映像が前記同一表示画面で表示されるように処理して記憶媒体の複数の記憶領域のそれぞれ同一記憶エリアに所定信号量分順次記憶すると共に、前記記憶された映像信号の後に送られる映像信号を、複数の映像が前記同一表示画面で表示されるように処理して、前記記憶媒体の複数の記憶領域の前記映像信号が記憶されているエリアとは異なる同一エリアに、所定フィールド分順次記憶するステップと、前記記憶媒体に記憶された映像信号を読み出して各記憶領域毎に表示させるステップと、を具備したことを特徴とする。
【００１２】
本発明によれば、番組を構成する複数の映像が時系列で同一画面で表示され、さらに各表示された複数の映像に続く映像を同一画面で表示することができるため番組内容を短時間でかつ確実に確認することができるものである。
本発明の放送番組記録再生方法は、入力される放送番号の放送開始から終了までの時間をｎに分割し、当該放送番組の映像信号を、ｎ個の映像が同一表示画面で表示されるように圧縮し、圧縮した映像信号を前記分割した時間毎に記憶媒体の複数の記憶領域のそれぞれ同一記憶エリアに時系列で記憶させるステップと、前記記憶媒体に記憶された映像信号を読み出して各記憶領域毎に表示させるステップと、を具備したことを特徴とする。
【００１３】
本発明によれば、番組の所定時間間隔の複数の映像が時系列で同一画面で表示され、さらに各表示された複数の映像に続く映像を同一画面で表示することができるため番組内容を短時間でかつ確実に確認することができるものである。
【００１４】
【発明の実施の形態】
以下、図面を参照しながら本発明の実施の形態を詳細に説明する。
図１は、本発明の放送番組記録再生装置１０の一実施の形態を示すブロック図である。
入力端子１１は、記録用の音声信号が供給される端子であり、入力端子１２は記録用の映像信号が供給される端子である。
入力端子１１に供給された音声信号は、ＨＤＤを記録媒体とする映像／音声記録手段１３に供給される。入力端子１２に供給された映像信号もまた、映像／音声記録手段１３に供給される。
映像／音声記録手段１３に供給された映像信号及び音声信号は、書込み／読出し制御手段１４の制御の下に、映像／音声記録手段１３に記録される。
この記録動作は、ユーザによって操作される入力手段１５からの信号を制御部１６が判断して、制御信号を書込み／読出し制御手段１４に供給し、書込み／読出し制御手段１４によって、映像／音声記録手段１３を駆動することで実行される。
映像／音声記録手段１３に記録された映像信号及び音声信号の再生も入力手段１５からの信号によって制御部１６から制御信号を書込み／読出し制御手段１４に供給し、書込み／読出し制御手段１４によって、映像／音声記録手段１３が駆動されることで実行される。
【００１５】
映像／音声記録手段１３から再生された映像信号は、表示選択手段１７を介して再生モニタ１８に供給されて陰極線管等の表示手段で表示される。また、映像／音声記録手段１３から再生された音声信号は、音声選択手段１９を介して再生モニタ１８に供給されてスピーカ等の出力手段によって出力される。
【００１６】
以上述べた記録再生を行なうための構成及びその動作は、極めて一般的なものであり、本発明はそれをベースにして、記録された番組の内容を確認するための構成が付加されている。
すなわち、入力端子１２に供給された映像信号は、映像／音声記録手段１３に供給されると共に、画像キャプチャ／圧縮手段２０に供給され、ここで、映像／音声記録手段１３に記録される番組の特定シーンの画像が選択され、さらに各シーンの最初の１フィールドの画像が同じ画面に表示されるように圧縮処理が行なわれて小画面情報記憶手段２１に供給されて記憶される。さらに、各シーンの最初のフィールドに続くフィールド画像がそれぞれ、同様に同じ画面に表示されるように圧縮処理されて小画面情報記憶手段２１に記憶される。それが、記憶済みの各シーンの最初のフィールドの手前まで継続される。
【００１７】
画像キャプション／圧縮手段２０による特定シーンの画像選択は、入力手段１５の操作によって入力されて、制御部１６を介して番組放送時間／枚数設定手段２２に記憶された番組放送時間と設定された枚数情報によってそのタイミングが決定される。
【００１８】
すなわち、その番組の内容を認識するに必要であろうという画像の枚数を決定し、その枚数の画像を抽出するタイミングが設定されるもので、例えば、１時間番組であった場合に、必要枚数を予め３０と決めておけば、選択のタイミングは２分周期ということになり、２分間隔の３０個の画像が同じ画面で表示されるように圧縮されて記憶され、さらに３０個の画像それぞれに、次のフィールドの画像が同様に同じ画面で表示されるように圧縮されて記憶される。
【００１９】
ユーザは、予め、新聞等によって放送時間を調べて、入力手段１５を操作して、番組の放送時間を入力する。抽出する画像の枚数は、ユーザが所望の数値を入力してもよいし、あるいは放送時間との関係で一義的に決定されるように構成してもよい。
【００２０】
実際の、放送番組の記録は、入力手段１５をユーザが操作することで実行させてもよいし、あるいは、図示しない周知のタイマー録画予約手段によって起動されるように構成することも可能である。
それによって、番組の放送時間に沿って、映像／音声記録手段１３への番組の記録が開始される。さらに、画像キャプチャ／圧縮手段２０は、制御部１６の制御の下、番組放送時間／枚数設定手段２２に記憶された情報に基づくタイミングで、画像情報を抽出し、その画像情報を、設定した枚数の画像が同じ画面で表示されるように圧縮して出力すると共に、各フィールド画像に続く画像を同様に同じ画面で表示されるように圧縮処理して記憶する。
【００２１】
画像キャプチャ／圧縮手段２０で圧縮されて出力された小画面情報は、小画面情報記憶手段２１に供給されて、制御部１６の制御の下に、当該記憶手段２１に記憶される。
また、入力端子１１に供給された音声信号は、音声圧縮手段２３に導かれ、制御部１６の制御の下、この音声圧縮部２２で所定の圧縮処理が施されて小画面情報記憶手段２１に供給される。小画面情報記憶手段２１に供給された圧縮音声信号は、制御部１６からの制御信号によって、抽出された画像に対応する音声情報として所定のアドレスに記憶される。音声の圧縮処理は、例えば、間引き処理であり、そのまま読み出しても音声として認識できるように処理されるものである。
【００２２】
画像キャプチャ／圧縮手段２０及び音声信号圧縮手段２３による処理と、圧縮された信号の小画面情報記憶手段２１への記憶処理は、放送番組の映像／音声記録手段１３への記録と平行して行なわれる。
図２は、画像キャプチャ／圧縮手段２０での画像抽出タイミングと、抽出した画像を小画面情報として圧縮して小画面情報記憶手段２１に記憶した状態を示すものである。
図２（ａ）に示すように、番組が１時間番組であった場合、２分間隔で３０の画像が選択され、抽出された画像が図２（ｂ）に示すように、再生モニタの表示画面の垂直方向に１／５、水平方向に１／６の大きさで表示されるように圧縮されて小画面情報記憶手段２１に記憶される。
【００２３】
小画面情報記憶手段２１は、３０個に分割された画面を構成する記憶領域を１から７２００まで有している。すなわち、選択された画像が３０の場合、間隔は２分間でありそのフィールド数７２００個が記憶領域数として設けられている。実際の記憶は、まず最初の２分間の画像のうち第１番目の選択画像の最初のフィールドの画像が圧縮されて記憶領域１の最も左上のエリアに記憶され、同様に次のフィールドが記憶領域２の最も左上のエリアに記憶され、さらに次のフィールドが記憶領域３の最も左上のエリアに記憶される。次いで順次同様に各フィールドが圧縮されて各記憶領域の最も左上のエリアに記憶され最後の記憶領域７２００に記憶されたことで第１番目の選択画像の記憶が終了する。
【００２４】
次に２番目の選択画像の最初のフィールドが記憶領域１の１行目の左から２番目のエリアに記憶され、次のフィールドが記憶領域２の１行目の左から２番目のエリアに記憶され、さらに次のフィールドが記憶領域３の１行目の左から２番目のエリアに記憶され、最後の記憶領域７２００まで記憶が完了したら次の第３番目の選択画像が同様に記憶される。
【００２５】
そのようにして、第３０番目の選択画像の７２００記憶領域への記憶が完了すると１時間放送番組の全てが記憶されたことになる。
記憶領域と記憶されるフィールド画像の関係を図３に示す。
図３（ａ）は第１記憶領域３１であり、最も左上に１番目の選択画像の１番目のフィールド（１−１と表示）が記憶され、以降順に、列方向及び行方向に３０の選択画像の各最初のフィールド画像（２−１〜３０−１）が記憶される。
図３（ｂ）は第２記憶領域３２であり、最も左上のエリアに１番目の選択画像の２番目のフィールド（１−２）が記憶され、以降順に、列方向及び行方向に３０の選択画像の各最初のフィールド画像（２−２〜３０−２）が記憶される。
図３（ｃ）は第３記憶領域３３であり、最も左上のエリアに１番目の選択画像の３番目のフィールド（１−３と表示）が記憶され、以降順に、列方向及び行方向に３０の選択画像の各最初のフィールド画像（２−３〜３０−３）が記憶される。
図３（ｄ）は第７２００記憶領域３７２００であり、最も左上のエリアに１番目の選択画像の３番目のフィールド（１−３６００）が記憶され、以降順に、列方向及び行方向に３０の選択画像の各最初のフィールド画像（２−７２００〜３０−７２００）が記憶される。
【００２６】
次に、小画面情報記憶手段２１に記憶された情報によって映像／音声記録手段１３に記録された番組内容を確認する手順について説明する。
ユーザは、入力手段１５を操作して、制御部１６を介して小画面情報記憶手段２１に対して小画面一覧を出力するためのリクエスト信号を供給する。それによって小画面情報記憶手段２１から図２（ｂ）に示す内容の信号が出力され、表示選択手段１７に供給される。リクエスト信号と同時に、制御部１６から表示選択手段１７と音声選択手段１９に切換信号が供給されて、それぞれ小画面情報記憶手段２１からの信号を選択するように切換えられる。
【００２７】
その結果、小画面情報記憶手段２１から出力された映像信号が、表示選択手段１７を経て表示モニタ１８に供給されて表示される。
表示画面は、初期状態では図３（ａ）に示す第１記憶領域３１に記憶された内容そのものであり、ユーザが入力手段１５を操作して制御部１６に画面変更要求を供給することで、図３（ｂ）に示す次の第２記憶領域３２に記憶された画像が表示される。
【００２８】
次に、図３（ｃ）に示す第３記憶領域３３の記憶内容が表示され、同様に各記憶領域に記憶されている画像が順次表示されることになる。
表示画面の切換は、ユーザが都度行なうようにしてもよいが、最初の起動のみユーザが行なって、後は、所定時間間隔で自動的に各記憶領域に記憶されている画像が読み出されて表示されるように構成してもよい。
連続的に切換えることで、実質的に各選択画面の動画を表示させたのと同様の表示画面を得ることができるものである。
これによって、１本の番組の内容を１／３０の時間で確認することができるものである。
また、映像／音声記録手段１３への番組の記録と、小画面情報記憶手段２１の各記憶領域の３０の画面情報とを、例えば、記録開始からの継続時間情報によってリンクさせることは可能であり、制御部１６によって管理可能である。
したがって、表示されている３０の画像のうちから所望のものをユーザが選択することで、映像／音声記録手段１３に記録された番組をその選択した画像部分から再生させることは可能である。
また、３０の画像のうちから所望の２つの画像を選択することにより、その間の音声を小画面情報記憶手段２１から読み出すように構成することも可能である。
なお、以上の説明では、小画面情報記憶手段２１の各記憶領域に画像をフィールド単位で連続的に記憶するものとして説明したが、１フィールド置きに記憶するようにしてもよく、その場合、読み出した再生映像信号は時間軸が１／２になり、２倍速再生ということになる。
【００２９】
このとき、小画面情報記憶手段２１に記憶されている音声信号も、１／２に圧縮されていると、再生映像に合致した音声を再生することができるものである。以上のように、本発明の放送番組記録装置によれば、映像／記録再生手段１３に記録された番組を所定時間間隔で一覧画面で見ることができ、さらに各一覧画面を動画的に更新させることができるため、記録内容を短時間で容易に確認することができるものである。
【００３０】
図４は、以上説明した動作をフローチャートで示すものである。
図４において、ステップ４ａで開始され、ステップ４ｂで番組時間情報が設定され、さらにステップ４ｃで選択する画像数ｍと各選択画像のフィールド数ｎが設定される。
次いで、ステップ４ｄでｍとｎに初期値１が設定され、ステップ４ｅで、ｍ（１）番目の選択画像のｎ（１）番目のフィールドがキャプチャされて圧縮される。次いでステップ４ｆで小画面情報記憶手段２１のｎ（１）番目の記憶領域のｍ（１）エリアに圧縮した画像情報を記憶する。
【００３１】
次いで、ステップ４ｇでｎに１が加算され、ステップ４ｈでｎが最大値を越えたか否かが判定され、超えてない場合は、ステップ４ｅでｍ（１）番目の選択画像のｎ（２）番目のフィールドがキャプチャされて圧縮される。次いでステップ４ｆでｎ（２）番目の記憶領域のｍ（１）エリアに圧縮した画像を記憶する。ステップ４ｇでｎに１が加算されて、ステップ４ｈでｎが最大値を越えたか否かが判定され、超えていなければステップ４ｅに戻って、３番目のフィールドのキャプチャと圧縮及びｎ番目の記憶領域への記憶が実行される。
【００３２】
ステップ４ｈでｎが最大数（図２，３の実施例では７２００）を越えたことが判定されたら、ステップ４ｉで再びｎが１に設定され、さらにｍが１加算されて、ステップ４ｅへ戻り、ｍ（２）番目の選択画像のｎ（１）番目のフィールドがキャプチャされ、圧縮されてステップ４ｆでｎ（１）番目の記憶領域のｍ（２）エリアに記憶される。
【００３３】
以降その繰り返しで、ステップ４ｊでｍが最大値（図２，３の実施例では３０）を越えたことが判定されたらステップ４ｋで終了となる。
また、ステップ４ｌにおいて、放送番組の映像／音声記録手段への記録が行なわれ、所定期間の記録が終了したらステップ４ｍで終了となる。
図５は、本発明の番組記録装置の他の実施の態様を示すブロック図である。図において、図１に示す装置と同じ構成部分には同じ番号を付して詳細な説明は省略する。
図１に示す装置では、放送番組の、映像／音声記録手段１３への記録と、小画面情報記憶手段２１への記憶とを平行して行なうように構成したが、必ずしも同時に行なう必要はなく、映像／音声記録手段１３への記録を完了した後で、記録した番組を再生し、再生信号を画像キャプチャ／圧縮手段２０で画像キャプチャ及び圧縮して小画面情報記憶手段２１に記憶するようにしてもよい。同時にキャプチャ画像に関連する再生された音声信号を圧縮して小画面情報記憶手段２１に記憶するようにする。
【００３４】
図５に示す記録再生装置５０においては、その制御は、制御部５１によって行なわれ、ユーザは入力手段５２の操作によって、それらの制御を行なう。
図５に示す装置においても、映像／音声記録手段１３から再生された映像信号に対して、選択画像数の設定と、各選択画像のフィールド数を設定して図４に示すフローチャートに基づいて、小画面情報記憶手段２１へ記憶させることが可能である。
【００３５】
なお、以上の説明では、番組時間情報をユーザが入力部から入力するように構成したものとして説明したが、番組がデジタル放送で提供されるものであれば、放送信号中に、番組の放送開始時刻、放送終了時刻等の番組の構成を表す情報が付加情報として多重伝送されるため、その付加情報から得るように構成することが可能である。
【００３６】
以上のように本発明によれば、映像／音声記録手段に記録された番組の映像信号を所定のタイミングで区切って選択し、選択された各画像を圧縮して、１表示画面に複数のシーンの映像が表示されるように構成すると共に、各選択された画像に続くフィールド画像をそれぞれ圧縮して１表示画面で表示されるように順次記憶するように構成したので、記憶された画像を表示させることにより、１本の番組の内容を短時間で確認することができるようになると共に、各画像をあたかも動画のように表示させることができるため、番組内容をより確実に確認することができるようになるものである。
【００３７】
【発明の効果】
以上のように、本発明によれば、記録された番組を所定時間間隔で区切って選択し、選択した画像を各画像が一画面で表示されるように圧縮して記憶すると共に、各選択画像に続く画像もそれぞれ、１画面で表示されるように圧縮して記憶するように構成したことにより、記憶した画像を再生することで短時間で番組の内容を確認することができるようになると共に、番組内容を細部まで確認することができるものである。
【図面の簡単な説明】
【図１】本発明に係る、放送番組記録再生装置の一実施の形態を示すブロック図。
【図２】図１に示す装置の動作を説明するための図。
【図３】図１に示す装置の動作を説明するための図。
【図４】図１に示す装置の動作を説明するためのフローチャート。
【図５】本発明に係る放送番組記録再生装置の他の実施の形態を示すブロック図。
【符号の説明】
１０，５０…記録再生装置
１１…音声信号入力端子
１２…映像信号入力端子
１３…映像／音声記録手段
１４…書込み／読出し制御手段
１５，５２…入力手段
１６，５１…制御部
１７…表示選択手段
１８…再生モニタ
１９…音声選択手段
２０…画像キャプチャ／圧縮手段
２１…小画面情報記憶手段
２２…番組放送時間／枚数設定手段
２３…音声圧縮手段
【図１】
2004096587.tif 000003
【図２】
2004096587.tif 000004
【図３】
2004096587.tif 000005
【図４】
2004096587.tif 000006
【図５】
2004096587.tif 000007